(57)【要約】  表面上にマッサージ突起（３）および下面に中空の形成されたストリップ（４ａ、４ｂ）を有する改良された靴の中敷。着用される場合、歩く時または走る時に、それはユーザの足をマッサージし、さらにユーザの足の圧力を減少する。中敷は、交互の第１（４ａ）および第２の（４ｂ）中空の形成されたストリップを有する。中空の形成されたストリップのサイズ（５、６）は、足の様々な反射的な領域に従って変化することができる。したがって、中空の形成されたストリップの高さおよび中敷の厚みは、足の増加する圧力を吸収するように、中敷の前部（２３）から後部（２４）まで徐々に増加する可能性がある。【選択図】図１１
2007528259.tif 000002
【特許請求の範囲】
【請求項１】
マッサージおよびクッション用の中敷であって、
上面および前記上面の対向する側面に底面を含むユーザの足の形状を有する中敷、
前記ユーザの足にマッサージ効果を提供するために前記中敷の前記上面で形成される複数の突起、
および、リバウンディング効果のための前記中敷の前記底面で形成される複数の中空の形成されたストリップであって、それによって、前記中空の形成されたストリップは、前記底面の全体にわたって所定の位置で提供される中空の形成されたストリップの第１の集合、および、中空の形成されたストリップの前記第１の集合を囲んで、代替的に組み込まれる中空の形成されたストリップの第２の集合を含む中空の形成されたストリップからなるマッサージおよびクッション用の中敷。
【請求項２】
マッサージおよびクッション用の中敷であって、前記突起は凸面形状の突起であるマッサージおよびクッション用の請求項１による中敷。
【請求項３】
マッサージおよびクッション用の中敷であって、前記突起は、異なるサイズおよび高さで形成されることができるマッサージおよびクッション用の請求項２による中敷。
【請求項４】
マッサージおよびクッション用の中敷であって、前記突起は、前記中敷の前記全体の上面で、等間隔に離れて設置される位置で形成されるマッサージおよびクッション用の請求項２による中敷。
【請求項５】
マッサージおよびクッション用の中敷であって、前記突起は、前記ユーザのための異なるマッサージ位置および反射領域を提供するため、前記中敷の前記上面で所定の領域において形成されるマッサージおよびクッション用の請求項２による中敷。
【請求項６】
マッサージおよびクッション用の中敷であって、前記マッサージ効果は、前記ユーザに本当マッサージ効果に類似した効果を与えるように、揉む、圧迫するおよび押圧することを含むマッサージおよびクッション用の請求項１による中敷。
【請求項７】
マッサージおよびクッション用の中敷であって、前記中空の形成されたストリップの各々は、前記中敷の前記底面から前記上面まで貫通する少なくとも１つの孔を含むマッサージおよびクッション用の請求項１による中敷。
【請求項８】
マッサージおよびクッション用の中敷であって、前記中空の形成されたストリップの各々は、その上に少なくとも１つの貫通していない孔を含むマッサージおよびクッション用の請求項１による中敷。
【請求項９】
マッサージおよびクッション用の中敷であって、前記中空の形成されたストリップの第１の集合は、前記中空の形成されたストリップの第２の集合の前記構造と異なる構造を有するマッサージおよびクッション用の請求項１による中敷。
【請求項１０】
マッサージおよびクッション用の中敷であって、前記中空の形成されたストリップの第１の集合は、前記中空の形成されたストリップの第２の集合の前記構造と同じ構造を有しているマッサージおよびクッション用の請求項１による中敷。
【請求項１１】
マッサージおよびクッション用の中敷であって、前記中空の形成されたストリップの第１の集合は、前記中空の形成されたストリップの第２の集合の前記中空の領域の深さと異なる前記中空の領域の深さを有しているマッサージおよびクッション用の請求項９による中敷。
【請求項１２】
マッサージおよびクッション用の中敷であって、前記中空の形成されたストリップの第１の集合は、前記中空の形成されたストリップの第２の集合の前記中空の領域の深さと同じ前記中空の領域の深さを有しているマッサージおよびクッション用の請求項１による中敷。
【請求項１３】
マッサージおよびクッション用の中敷であって、前記中空の形成されたストリップの第１の集合の前記中空の領域の深さは、前記中敷の前記底面の所定の部分で異なることができるマッサージおよびクッション用の請求項１による中敷。
【請求項１４】
マッサージおよびクッション用の中敷であって、前記中空の形成されたストリップが、前記中敷の前部から前記中敷の前記後部の方へその高さを徐々に増加させるように形成されることができるマッサージおよびクッション用の請求項１による中敷。
【請求項１５】
マッサージおよびクッション用の中敷であって、前記突起は、前記ユーザの所望にしたがって前記中敷の前記上面で平らにされることができるマッサージおよびクッション用の請求項１による中敷。
【請求項１６】
マッサージおよびクッション用の中敷であって、前記中空の形成されたストリップは、前記中敷の前記底面から外に突出するマッサージおよびクッション用の請求項１による中敷。
【請求項１７】
マッサージおよびクッション用の中敷であって、前記中空の形成されたストリップは、前記中敷の前記底面に埋め込まれるマッサージおよびクッション用の請求項１による中敷。
【発明の詳細な説明】
【技術分野】
【０００１】
本発明は、中敷の上面にマッサージをする突起、および、中敷の底面に組み込まれる中空の形成されたストリップを有し、着用される場合、歩く時または走る時にそれはユーザの足をマッサージし、ユーザの足の圧力を減少するためにクッション効果をさらに提供する改良された靴の中敷に関する。このような配置は、様々な領域の異なる圧力を吸収することができ、マッサージ動作に関与することが可能である。
【背景技術】
【０００２】
リフレクソロジまたは指圧は、足裏の上の枢要点のマッサージを含む古代からの技術である。リフレクソロジの必須のまたは基礎をなす原則は、体の様々な器官または筋肉は、足裏の上での特定の点または領域にネットワークまたは神経によって連結されるということである。これらの点または領域に適用されるマッサージは、対象臓器への血流の循環を促進する。加えて、体の中を流れているエネルギのチャネルがあり、このエネルギは足のこれらの重要な点で終わるということが理論づけられる。
【０００３】
したがって、それは、足のこれらの様々な重要な領域のマッサージが人のエネルギを活性化し、反射作用理論は、マッサージ動作がこれらのエネルギ・チャネルまたは通路を通じたエネルギの流動の妨害を除去することを提案すると考えられる。ある人がリフレクソロジ理論を受け入れるにせよ受け入れないにせよ、足の特定の位置に適用されるマッサージは体を緩和させ、履物に配置されるクッション中敷は疲労を減少させ、快適さを増加させ、着用者により大きな持久力を提供することは公知である。
【０００４】
これらの考慮すべき問題を念頭において、セルフマッサージと呼ばれ、それらは、均一の厚みで形成されたプレートから突出しているしっかりと包まれたストリップを有し；前記ストリップは、人間工学的な必要条件にしたがって載置表面を作成するのに必要であるため異なる高さであるという条件であるという事実により、足裏の全体上の動作にマッサージを実行することが可能である成形された中敷がかなりの間利用されてきた。
【０００５】
マッサージ動作は、歩くまたは休息した場合の圧力の分配にしたがって非均等で偶発的な方法で絶えず撓曲する前記中空の形状のストリップの弾性ばねの戻りによって保証される。
【０００６】
しかしながら、これらの中敷上のすべての中空の形状ストリップが体の重量で曲がることが可能であるというわけではなく、それらのほとんどは、高さが減少された結果、実際に堅固になり、したがって、圧力による重要ないかなる変形も受けることができないのは真実である。それゆえに実際には、それらは、より高くより薄い残りの中空の形状ストリップによって生じるマッサージ動作に関与することがまったく可能でない。
【０００７】
さらに、大部分の利用できる靴の中敷は、ステップ時の衝撃の吸収能力を提供することができない。これは、我々が歩く場合、踵の上に行きかつ外側の境界に続く体重の１００％は、足のふくらみから親指関節まで交差し、つま先を離れてはねるように前方へ移動する効果のためである。一方で、静止している場合、体重の５０％は踵上にあり、２５％の重量は親指関節の根元に集中し、２５％は足のふくらみに広がる。長期にわたる足への重量の圧力によって、体関節および脊柱への損傷のリスクが生じる。
【発明の開示】
【０００８】
本発明の目的は、中敷が中敷上面において突起および下面を組み込む中空の形成されたストリップが形成される、成形された中敷を提供することである。使用される場合、中敷は、着用者の足にマッサージをするだけでなく、足への衝撃吸収材をも供する。反射領域に対応する突起の位置および配置は、ユーザの必要条件によって変化してもよい。
【０００９】
本発明のさらなる目的は、足組織の血行促進を越えて治療的な効果を有する中敷を提供することである。
【００１０】
中敷は、中空の形成されたストリップの第２の集合と交互に、中空の形成されたストリップの第１の集合の一群を有するように設計される。中空の形成されたストリップの第２の集合は、様々なサイズから形成されてもよく、一方で、中空の形成されたストリップの第１の集合は、好ましくはより小さいサイズおよび構造で形成される。中空の形成されたストリップの第２の集合のサイズは、足の様々な反射的な領域にしたがって変化することができる。中空の形成されたストリップの高さは、増加する足の圧力を吸収するため、中敷の前部から後部まで徐々に増加している。他の手段において、中敷の厚みもまた中敷の前部から後部に徐々に増加する。
【００１１】
中空の形成されたストリップの示差的特徴は、中空の形成されたストリップの第２の集合と交互の中空の形成されたストリップの第１の集合の配置が、様々な領域の異なる圧力を吸収することができ、足の衝撃吸収性を減少することが可能であるという事実で構成される。
【発明の詳細な説明】
【００１２】
図１に見られるように、中敷（１）は人間の足の形状を有し、一般的に中敷（１）は靴のサイズに対応して大きさを設定され、大きさを設定された対において提供される。
【００１３】
中敷（１）は、図２および３に示すように上面（２１）の対向する側面において上面（２１）および底面（２２）から構成されている。中敷（１）のデザインは、図３で示す中敷（１）の底面（２２）で中空の形成されたストリップ（４ａ）の第１の集合、および、中空の形成されたストリップ（４ａ）の第１の集合を囲んで、代替的に組み込まれる中空の形成されたストリップ（４ｂ）の第２の集合を含む複数の中空の形成されたストリップ（４）を有する。好ましい実施例において、中空の形成されたストリップ（４ａ）の第１の集合は、図４および５で示す中空の形成されたストリップ（４ｂ）の第２の集合の中空の領域（６）より小さい中空の領域（５）を有する。他の実施例では、中空の形成されたストリップ（４ａ）の第１の集合の中空の領域（５）は、中空の形成されたストリップ（４ｂ）の第２の集合の中空の領域（６）と同じ構造であることができる。
【００１４】
様々な異なる圧力を吸収する領域は、中敷（１）に作成されることができる。好ましい実施例において、中空の形成されたストリップ（４ａ）の第１の集合の中空の領域（５）の深さは、図４で示すように中空の形成されたストリップ（４ｂ）の第２の集合の中空の領域（６）の深さよりも小さい。他の実施例において、中空の形成されたストリップ（４ａ）の第１の集合の中空の領域（５）の深さは、図５に示すように中空の形成されたストリップ（４ｂ）の第２の集合の中空の領域（６）の深さと同じであることができる。中敷（１）の中空の形成されたストリップ（４）は、図６に示すように中敷（１）の前部（２３）から中敷の後部（２４）まで、その高さが徐々に増加するように形成されることができる。中敷（１）の底面（２２）の異なる領域で中空の形成されたストリップ（４）の異なる構造を有し、このことで、歩行または直立している間、ユーザからかかと部分で最大である重量圧力の異なる吸収力を提供することができ、一方で前部（２３）の中敷（１）のクッション力はこの領域ではより小さい。
【００１５】
図６、７および１０に関して、中空の領域（５）を有している中空の形成されたストリップ（４ａ）の第１の集合は、中空の形成されたストリップ（４ｂ）の第２の集合の中空の領域（６）と同じ高さであることが分かる。中空の形成されたストリップ（４ａ）の第１の集合、および、中空の形成されたストリップ（４ｂ）の第２の集合の両方の高さは、図６および７に示すように、中敷（１）の前部（２３）から後部（２４）まで徐々に増加する。他の手段においては、中敷（１）の厚さはまた足の増加した圧力を吸収するように、前部（２３）から後部（２４）まで徐々に増加している。これらは、図６から図１１において示される。中空の形成されたストリップは、中敷（１）の底面（２１）から、外へ突出して形成され、中敷（１）の底面（２２）において埋め込むことができる。
【００１６】
中空の形成されたストリップ（４）はまた、図８、９および１１で示されるように、中空の形成されたストリップ（４ａ）の第１の集合が、中空の形成されたストリップ（４ｂ）の第２の集合の中空の領域（６）の深さより浅い中空の領域（５）の深さを有しているレイアウトで配置することができる。中空の形成されたストリップ（４ａ）の第１の集合および中空の形成されたストリップ（４ｂ）の第２の集合の両方の高さは、図８、９および１１に示すように中敷（１）の前部（２３）から後部（２４）まで徐々に増加する。
【００１７】
本発明の配置による中敷（１）の底面（２２）で組み込まれる中空の形成されたストリップ（４）は、足から圧力を自動的に吸収し、着用者が歩いている時、足上にマッサージを施す。それにより足の組織の血液循環を促進し、全体の体重量を支持するのに必要な足の圧力を減少させる。
【００１８】
中敷（１）の上面（２１）は、複数の突起（３）を備える。突起（３）は、所望の反射領域または足の領域に対応する選択された領域に対応するように様々に上面（２１）に配置される可能性がある。例えば、図６において、中敷（１）の上面（２１）は、選択された領域上に突起（３）を含むだけであり、一方、図７において、突起（３）は、中敷（１）の上面（２１）の全体の表面周辺に拡散する。代替的に、突起（３）は、ユーザの所望にしたがって中敷（１）の上面（２１）上に平らにされる。突起（３）は、例えば図１０で示されるように弾丸形状（３ａ）またはパレット形状（３ｂ）のような可変形状の凸面形状突起（３）である。
【００１９】
使用される場合、中敷（１）の上面（２１）に配置される突起（３）は足をマッサージする際に役立つ。反射理論によれば、足のマッサージは体を弛緩させ、特定の器官の健康に有益な効果を有する。
【００２０】
中空の形成されたストリップ（４ａ）の第１の集合および中敷（１）上の中空の形成されたストリップ（４ｂ）の第２の集合の様々なサイズのデザインは、使用される場合、中敷（１）のクッション効果の制御に役立つことができる。突起（３）の組合せを有し、中敷（１）は、人間によるマッサージ効果と類似したマッサージ効果を足に提供することができた。
【００２１】
中敷（１）は、中敷の後部（２２）で、延長されたフランジ（２８）に加えられることができるので、図１で示すように中敷が靴へ配置される場合、中敷（１）は適所に容易に固定されることができる。
【００２２】
本発明が他のいろいろな形で実施される可能性があり、上記した唯一の実施例に限られないと理解されるものである。しかしながら、当業者に容易に見出すことができるこのような開示された概念の変更およびその同等物は、追加される請求項の範囲内で含まれる意図を有する。
【図面の簡単な説明】
【００２３】
実施例の形で、本発明は次の図面においてさらに詳細に説明される。
【図１】本発明の延長されたフランジを有する中敷を示している概略的な底面図である。
【図２】中敷の上面の突起を有する中敷を示している概略的な上面図である。
【図３】中敷の底面上に中空の形成されたストリップを有する中敷を示している概略的な底面図である。
【図４】中空の形成されたストリップの第１の集合の中空の領域の深さより高い中空の領域の深さを有している中空の形成されたストリップの第２の集合を有する中敷を示している横断面図である。
【図５】中空の形成されたストリップの第１の集合の中空の領域の深さと同じ中空の領域の深さを有している中空の形成されたストリップの第２の集合を有する中敷を示している横断面図である。
【図６】中空の形成されたストリップの異なる構造を有する上面上の特定の領域にある突起を有する中敷を示している横断面図である。
【図７】中敷の全体の上面に拡散する突起を有する図６に類似した図である。
【図８】中空の形成されたストリップの第１の集合の中空の領域の深さより高い中空の領域の深さを有している中空の形成されたストリップの第２の集合および中敷の全体の上面に拡散する突起を有する中敷を示している横断面図である。
【図９】中敷の全体の上面上に拡散する突起を有する図８に類似した図である。
【図１０】同じ表面上の異なる形状の突起を有する図６に類似した図である。
【図１１】同じ表面上の異なる形状の突起を有する図８に類似した図である。
【図１】
2007528259.tif 000003
【図２】
2007528259.tif 000004
【図３】
2007528259.tif 000005
【図４】
2007528259.tif 000006
【図５】
2007528259.tif 000007
【図６】
2007528259.tif 000008
【図７】
2007528259.tif 000009
【図８】
2007528259.tif 000010
【図９】
2007528259.tif 000011
【図１０】
2007528259.tif 000012
【図１１】
2007528259.tif 000013
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
マッサージおよびクッション用の中敷であって、
上面および底面を有する足形の中敷、
前記ユーザの足にマッサージ効果を提供する前記中敷の前記上面で形成される複数の突起、
リバウンディング効果のための前記中敷の前記底面の空洞のセルのウェブ、ここで、前記ウェブは、空洞のセルの第１の集合および空洞のセルの第２の集合を交替させることによって形成される空洞のセルのウェブからなり、
そこにおいて、前記空洞のセルの第１の集合は、前記空洞のセルの第２の集合の前記構造と異なる構造を有するマッサージおよびクッション用の中敷。
【請求項２】
マッサージおよびクッション用の中敷であって、前記突起は凸面状に形成されるマッサージおよびクッション用の請求項１に記載の中敷。
【請求項３】
マッサージおよびクッション用の中敷であって、前記突起は、前記中敷の前記全体の上面で、等間隔に離れて設置される位置で形成されるマッサージおよびクッション用の請求項１に記載の中敷。
【請求項４】
マッサージおよびクッション用の中敷であって、前記突起は、前記ユーザのための異なるマッサージ位置および反射領域を提供するため、前記中敷の前記上面で所定の領域において形成されるマッサージおよびクッション用の請求項２に記載の中敷。
【請求項５】
請求項１に記載のマッサージおよびクッション用の中敷であって、前記中空のセルの各々は、前記中敷の前記底面から前記上面まで貫通する少なくとも１つの孔を含むマッサージおよびクッション用の中敷。
【請求項６】
マッサージおよびクッション用の中敷であって、前記中空の形成されたセルの第１の集合は、前記中空の形成されたセルの第２の集合の深さおよびサイズと異なる深さおよびサイズを有するマッサージおよびクッション用の請求項１に記載の中敷。
【請求項７】
マッサージおよびクッション用の中敷であって、前記中空のセルの第１の集合の前記中空の領域の深さが、前記中敷の前記底面の所定の部分で異なるマッサージおよびクッション用の請求項１に記載の中敷。
【請求項８】
マッサージおよびクッション用の中敷であって、前記中空のセルが、前記中敷の前部から前記中敷の前記後部の方へその高さを徐々に増加させるように形成されることができるマッサージおよびクッション用の請求項１に記載の中敷。
【請求項９】
マッサージおよびクッション用の中敷であって、前記中空のセルが、前記中敷の前記底面から外に突出するマッサージおよびクッション用の請求項１に記載の中敷。
【国際調査報告】
2007528259.tif 000014
2007528259.tif 000015
2007528259.tif 000016